(57)【要約】【課題】光ディスク装置に光ディスクがセットされている場合、光ディスクのセット状態をテレビ受像機のＯＳＤで表示し、該セット状態をユーザに一見して分からせる光ディスクシステムを提供する。【解決手段】光ディスクシステム１は、光ディスク２０のセット状態を検知すると、該光ディスク２０のセット状態を表す信号としてＤｉｓｋＩｎ表示信号をＴＶ１００に送信する（図１(5)参照）光ディスク装置１０と、該ＤｉｓｋＩｎ表示信号に基づくＤｉｓｋＩｎ画像をＯＳＤ（オンスクリーンディスプレイ）で表示するＴＶ（テレビジョン）１００と、を備えている。光ディスク装置１０からＤｉｓｋＩｎ表示信号を受信していると判断すると、「ＤｉｓｋＩｎ」の文字が、ＣＲＴ１０６Ａ上に表示される。【選択図】  図１
2006268990.tif 000002
【特許請求の範囲】
【請求項１】
装置本体にセットされている光ディスクにレーザ光を照射し、該光ディスクのデータ領域に記録されているデータを読取る読取手段を有する光ディスク装置と、
所望のＯＳＤを表示する表示手段を有するテレビ受像機と、を備える光ディスクシステムにおいて、
前記光ディスク装置は、光ディスクが装置本体にセットされているか否かを検知する検知手段と、前記検知手段が光ディスクのセット状態を検知すると、該光ディスクのセット状態を表す信号としてＤｉｓｋＩｎ表示信号を生成し、該ＤｉｓｋＩｎ表示信号を前記テレビ受像機に送信する信号生成送信手段と、を有し、
前記テレビ受像機は、該テレビ受像機が前記ＤｉｓｋＩｎ表示信号を前記信号生成送信手段から受信した時に、光ディスクのセット状態を表す画像としてＤｉｓｋＩｎ画像を前記ＯＳＤで表示することを前記表示手段に対し指示する表示指示手段を有し、
前記表示指示手段は、一定時間が経過すると、前記ＤｉｓｋＩｎ画像の表示を消去することを前記表示手段に対し指示するとともに、予め定めた再表示条件が満たされると、前記ＤｉｓｋＩｎ画像の表示を再び行うことを前記表示手段に対し指示し、
前記再表示条件は、前記テレビ受像機のチャンネル切換操作が行われること、前記テレビ受像機の音量切換操作が行われること、又は前記テレビ受像機がコマーシャルに入ったことであり、
前記表示手段は、前記テレビ受像機のチャンネル切換操作が行われた時、又は前記テレビ受像機の音量切換操作が行われた時に、それらの操作が行われた事を表示するＯＳＤと前記ＤｉｓｋＩｎ画像とを隣接して表示し、
前記表示手段は、前記テレビ受像機の電源オフ操作が行われた時において、前記テレビ受像機が電源オフされる前に、前記ＤｉｓｋＩｎ画像を前記表示手段の画面に大きく表示し、
前記信号生成送信手段は、前記検知手段が光ディスクの未セット状態を検知すると、光ディスクの未セット状態を表す信号としてＤｉｓｋＩｎ表示解除信号を生成し、該ＤｉｓｋＩｎ表示解除信号を前記テレビ受像機に送信し、
前記表示指示手段は、前記テレビ受像機が前記ＤｉｓｋＩｎ表示解除信号を前記信号生成送信手段から受信した時に、前記ＤｉｓｋＩｎ画像の表示を行わないことを前記表示手段に対し指示する光ディスクシステム。
【請求項２】
装置本体にセットされている光ディスクにレーザ光を照射し、該光ディスクのデータ領域に記録されているデータを読取る読取手段を有する光ディスク装置と、
所望のＯＳＤを表示する表示手段を有するテレビ受像機と、を備える光ディスクシステムにおいて、
前記光ディスク装置は、光ディスクが装置本体にセットされているか否かを検知する検知手段と、前記検知手段が光ディスクのセット状態を検知すると、該光ディスクのセット状態を表す信号としてＤｉｓｋＩｎ表示信号を生成し、該ＤｉｓｋＩｎ表示信号を前記テレビ受像機に送信する信号生成送信手段と、を有し、
前記テレビ受像機は、該テレビ受像機が前記ＤｉｓｋＩｎ表示信号を前記信号生成送信手段から受信した時に、光ディスクのセット状態を表す画像としてＤｉｓｋＩｎ画像を前記ＯＳＤで表示することを前記表示手段に対し指示する表示指示手段を有する光ディスクシステム。
【請求項３】
前記表示指示手段は、一定時間が経過すると、前記ＤｉｓｋＩｎ画像の表示を消去することを前記表示手段に対し指示するとともに、予め定めた再表示条件が満たされると、前記ＤｉｓｋＩｎ画像の表示を再び行うことを前記表示手段に対し指示する請求項２記載の光ディスクシステム。
【請求項４】
前記再表示条件は、前記テレビ受像機のチャンネル切換操作が行われること、前記テレビ受像機の音量切換操作が行われること、又は前記テレビ受像機がコマーシャルに入ったことである請求項３に記載の光ディスクシステム。
【請求項５】
前記表示手段は、前記テレビ受像機のチャンネル切換操作が行われた時、又は前記テレビ受像機の音量切換操作が行われた時に、それらの操作が行われた事を表示するＯＳＤと前記ＤｉｓｋＩｎ画像とを隣接して表示する請求項４記載の光ディスクシステム。
【請求項６】
前記表示手段は、前記テレビ受像機の電源オフ操作が行われた時において、前記テレビ受像機が電源オフされる前に、前記ＤｉｓｋＩｎ画像を前記表示手段の画面に大きく表示する請求項２から５のいずれかに記載の光ディスクシステム。
【請求項７】
前記信号生成送信手段は、前記検知手段が光ディスクの未セット状態を検知すると、光ディスクの未セット状態を表す信号としてＤｉｓｋＩｎ表示解除信号を生成し、該ＤｉｓｋＩｎ表示解除信号を前記テレビ受像機に送信し、
前記表示指示手段は、前記テレビ受像機が前記ＤｉｓｋＩｎ表示解除信号を前記信号生成送信手段から受信した時に、前記ＤｉｓｋＩｎ画像の表示を行わないことを前記表示手段に対し指示する請求項２から６のいずれかに記載の光ディスクシステム。
【発明の詳細な説明】
【技術分野】
【０００１】
本発明は、ＣＤ、ＤＶＤ等の光ディスクをセットし、再生・記録する光ディスク装置と、光ディスクのセット状態をＯＳＤで表示するテレビ受像機と、を備えた光ディスクシステムに関するものである。
【背景技術】
【０００２】
従来、ＣＤ、ＤＶＤ等の光ディスクに記録されている映像や音声の再生やデータの記録を行う光ディスク装置が実用化され、一般化されている。
【０００３】
このような光ディスク装置の中には、ふた（トレー）を開け閉めすることなくワンタッチ操作で光ディスクの出し入れができるスロットインメカ方式を採用している装置がある。
【０００４】
このスロットインメカ方式を採用している光ディスク装置には、ワンタッチ操作で光ディスクの出し入れができるという利点があるものの、ユーザが光ディスクをセットしていることを忘れ、新たな光ディスクを重複セットしてしまうという問題があった。光ディスクを重複セットしてしまうことにより、２枚の光ディスクが重なるため、いずれか一方の光ディスクは他方の光ディスクの裏面（記録面）を傷付ける。当然に、記録面への傷は光ディスクの再生・記録に悪影響を及ぼす。
【０００５】
そこで、特許文献１に記載された光ディスク装置が提案されている。
【０００６】
この光ディスク装置は、光ディスクがセットされているか否かを装置内蔵の表示部で表示するものである。
【特許文献１】特開２００２−５０１６８公報
【発明の開示】
【発明が解決しようとする課題】
【０００７】
しかしながら、特許文献１において、装置内蔵の表示部は、テレビ画面と比し、一般的に小さい。さらに、該表示部で表示される文字となると、その文字は非常に小さい。そのため、その文字はユーザにとって一見して分かりにくい。
【０００８】
よって、光ディスクがセットされているか否かを上記表示部で表示しても、ユーザはその表示に気付かず、新たな光ディスクを重複セットしてしまうという問題が依然として存在する。
【０００９】
本発明はこのような従来の課題を解決しようとするものであり、光ディスク装置に光ディスクがセットされている場合、光ディスクのセット状態をテレビ受像機のＯＳＤで表示し、該セット状態をユーザに一見して分からせる光ディスクシステムを提供することを目的とする。
【課題を解決するための手段】
【００１０】
本発明の光ディスクシステムは、前記課題を解決するために以下の構成を備えている。
（１）装置本体にセットされている光ディスクにレーザ光を照射し、該光ディスクのデータ領域に記録されているデータを読取る読取手段を有する光ディスク装置と、
所望のＯＳＤを表示する表示手段を有するテレビ受像機と、を備える光ディスクシステムにおいて、
前記光ディスク装置は、光ディスクが装置本体にセットされているか否かを検知する検知手段と、前記検知手段が光ディスクのセット状態を検知すると、該光ディスクのセット状態を表す信号としてＤｉｓｋＩｎ表示信号を生成し、該ＤｉｓｋＩｎ表示信号を前記テレビ受像機に送信する信号生成送信手段と、を有し、
前記テレビ受像機は、該テレビ受像機が前記ＤｉｓｋＩｎ表示信号を前記信号生成送信手段から受信した時に、光ディスクのセット状態を表す画像としてＤｉｓｋＩｎ画像を前記ＯＳＤで表示することを前記表示手段に対し指示する表示指示手段を有する。
【００１１】
この構成において、ＤｉｓｋＩｎ画像とは、光ディスクが光ディスク装置にセットされている状態を表すマーク又は文字である。光ディスクは、例えばＤＶＤ、ＣＤである。
【００１２】
この構成は、光ディスクモードでなく、テレビモードで使用することを主に想定している。光ディスクモードとは、光ディスク装置が光ディスクに記録されている映像や音声を読取り、テレビ受像機において再生するモードである。テレビモードとは、テレビ受像機がテレビ放送信号を受信し、選択されているチャンネルの映像や音声を出力するモードである。
【００１３】
つまり、この構成は、選択されているチャンネルの映像が画面上に表示されているときに、ＤｉｓｋＩｎ画像をＯＳＤで該画面上に表示させることを特徴とする。
【００１４】
以上より、ＤｉｓｋＩｎ画像をテレビ受像機のＯＳＤで表示させることができる。従って、光ディスクのセット状態をユーザに一見して分からせることができるため、新たな光ディスクの重複セットを防ぐことができる。
（２）前記表示指示手段は、一定時間が経過すると、前記ＤｉｓｋＩｎ画像の表示を消去することを前記表示手段に対し指示するとともに、予め定めた再表示条件が満たされると、前記ＤｉｓｋＩｎ画像の表示を再び行うことを前記表示手段に対し指示する。
【００１５】
この構成において、一定時間は、例えば５秒である。一定時間は、テレビ受像機のチャンネル切換操作が行われた時、又はテレビ受像機の音量切換操作が行われた時に、それらの操作が行われた事を表示するＯＳＤが、表示されてから消えるまでの時間と同じにすると良い。
【００１６】
また、再表示条件は、例えばテレビ受像機のチャンネル切換操作が行われること、テレビ受像機の音量切換操作が行われること、又はテレビ受像機がコマーシャルに入ったことである。チャンネル切換操作等が行われた時またはコマーシャルに入った時に、ＤｉｓｋＩｎ画像を表示させるため、適切なタイミングでＤｉｓｋＩｎ画像を表示させることができる。
【００１７】
この構成では、例えばテレビ受像機のチャンネル切換操作等が行われる毎に、ＤｉｓｋＩｎ画像が表示され、ＤｉｓｋＩｎ画像の表示から一定時間経過する毎に、ＤｉｓｋＩｎ画像が消去される。逆に、ＤｉｓｋＩｎ画像の表示から一定時間経過する毎に、ＤｉｓｋＩｎ画像が消去されても、テレビ受像機のチャンネル切換操作等が行われる毎に、ＤｉｓｋＩｎ画像が表示される。
【００１８】
具体的に述べると、テレビ受像機のチャンネル切換操作等が行われると、ＤｉｓｋＩｎ画像が表示され、ＤｉｓｋＩｎ画像の表示から一定時間経過すれば、ＤｉｓｋＩｎ画像が消去される。そして、テレビ受像機のチャンネル切換操作等が再び行われると、再びＤｉｓｋＩｎ画像が表示され、ＤｉｓｋＩｎ画像の表示から一定時間経過すれば、ＤｉｓｋＩｎ画像が再び消去される。
【００１９】
上記（１）では、ＤｉｓｋＩｎ画像が一度表示されると画面上にずっと表示されたままであるため、ユーザに煩わしさを感じさせることがあるが、ここでは、テレビ受像機のチャンネル切換操作等が行われる毎に、ＤｉｓｋＩｎ画像が表示され、ＤｉｓｋＩｎ画像の表示から一定時間経過する毎に、ＤｉｓｋＩｎ画像が消去される。そのため、画面上に適度に、ＤｉｓｋＩｎ画像を表示させることができる。
【００２０】
以上より、画面上に適切なタイミングで、且つ適度にＤｉｓｋＩｎ画像を表示させることができる。従って、ユーザに煩わしさを感じさせない。
（３）前記表示手段は、前記テレビ受像機のチャンネル切換操作が行われた時、又は前記テレビ受像機の音量切換操作が行われた時に、それらの操作が行われた事を表示するＯＳＤと前記ＤｉｓｋＩｎ画像とを隣接して表示する。
【００２１】
この構成では、上記ＯＳＤとＤｉｓｋＩｎ画像とを隣接して表示させることにより、ＤｉｓｋＩｎ画像が目立つ。従って、光ディスクのセット状態をユーザにより一見して分からせることができる。
（４）前記表示手段は、前記テレビ受像機の電源オフ操作が行われた時において、前記テレビ受像機が電源オフされる前に、前記ＤｉｓｋＩｎ画像を前記表示手段の画面に大きく表示する。
【００２２】
この構成では、テレビ受像機が電源オフされる前に、ＤｉｓｋＩｎ画像を表示手段の画面に大きく表示させることにより、ＤｉｓｋＩｎ画像が目立つ。従って、光ディスクのセット状態をユーザにより一見して分からせることができる。
（５）前記信号生成送信手段は、前記検知手段が光ディスクの未セット状態を検知すると、光ディスクの未セット状態を表す信号としてＤｉｓｋＩｎ表示解除信号を生成し、該ＤｉｓｋＩｎ表示解除信号を前記テレビ受像機に送信し、
前記表示指示手段は、前記テレビ受像機が前記ＤｉｓｋＩｎ表示解除信号を前記信号生成送信手段から受信した時に、前記ＤｉｓｋＩｎ画像の表示を行わないことを前記表示手段に対し指示する。
【００２３】
上記未セット状態では重複セットという問題が起こらない。そのため、テレビ受像機がＤｉｓｋＩｎ表示解除信号を信号生成送信手段から受信すると、つまり光ディスクが未セット状態になると、ＤｉｓｋＩｎ画像の表示が行われなくなる。そして、テレビ受像機がＤｉｓｋＩｎ表示信号を信号生成送信手段から再び受信するまで、つまり光ディスクが再びセット状態になるまで、ＤｉｓｋＩｎ画像の表示が行われない。
【００２４】
上記（２）では、ＤｉｓｋＩｎ画像の表示から一定時間経過する毎に、ＤｉｓｋＩｎ画像が消去されても、テレビ受像機のチャンネル切換操作等が行われる毎に、ＤｉｓｋＩｎ画像が表示されていたが、ここでは、テレビ受像機のチャンネル切換操作等が行われても、光ディスクが再びセット状態になるまで、ＤｉｓｋＩｎ画像の表示が行われない。
【発明の効果】
【００２５】
この発明によれば、光ディスクのセット状態をユーザに一見して分からせることができるため、新たな光ディスクの重複セットを防ぐことができる。
【発明を実施するための最良の形態】
【００２６】
以下、本発明の実施形態である光ディスクシステムについて説明する。
【００２７】
図１は、本発明の実施形態である光ディスクシステムのシステム構成図である。光ディスクシステム１は、光ディスク２０（後述の図２参照）のセット状態を検知すると、該光ディスク２０のセット状態を表す信号としてＤｉｓｋＩｎ表示信号をＴＶ１００に送信する（図１(5)参照）光ディスク装置１０と、該ＤｉｓｋＩｎ表示信号に基づくＤｉｓｋＩｎ画像をＯＳＤ（オンスクリーンディスプレイ）で表示するＴＶ（テレビジョン）１００と、を備えている。
【００２８】
光ディスク２０は、例えばＣＤ、ＤＶＤである。ＤｉｓｋＩｎ画像とは、光ディスク２０が光ディスク装置１０にセットされている状態を表すマーク又は文字である。図１では、ＤｉｓｋＩｎ画像が「ＤｉｓｋＩｎ」であるが、「Ｄｉｓｋが挿入されています」等であっても構わない。
【００２９】
光ディスク装置１０は、スロットインメカ方式を採用している装置であり、光ディスク２０をセットするための光ディスク投入口１６を備えている。
【００３０】
ＴＶ１００は、ＤｉｓｋＩｎ画像をＯＳＤで表示するＣＲＴ１０６Ａを備えている。
【００３１】
以上の構成は、光ディスクモードでなく、テレビモードで使用することを主に想定している。光ディスクモードとは、光ディスク装置１０が光ディスク２０に記録されている映像や音声を読取り、ＴＶ１００において再生するモードである。テレビモードとは、ＴＶ１００がテレビ放送信号を受信し、選択されているチャンネルの映像や音声を出力するモードである。
【００３２】
つまり、この構成は、選択されているチャンネルの映像がＣＲＴ１０６Ａ上に表示されているときに、ＤｉｓｋＩｎ画像をＯＳＤで該ＣＲＴ１０６Ａ上に表示させることを特徴とする。
【００３３】
なお、光ディスク２０が未セット状態である場合、光ディスク装置１０は、光ディスク２０の未セット状態を表す信号としてＤｉｓｋＩｎ表示解除信号をＴＶ１００に送信する（図１(5)´参照）。これにより、「ＤｉｓｋＩｎ」の文字は、ＣＲＴ１０６Ａ上から消える。
【００３４】
図２は、本発明の実施形態である光ディスクシステムに用いられる光ディスク装置のブロック図である。図３は、同光ディスクシステムに用いられるテレビジョンのブロック図である。
【００３５】
図２に示すように、光ディスク装置１０は、装置本体の動作を制御する制御部１１と、装置本体にセットされた光ディスク２０のデータ領域に記録されているデータを読取り、その読取信号であるＲＦ信号を出力する読取部１２と、前記ＲＦ信号を処理して映像と音声のデータを取り出して出力する光ディスク再生部１３と、前記映像と音声のデータをデコードして再生映像信号および再生音声信号を生成し、出力する再生信号生成部１４と、信号をＴＶ１００へ出力する出力端子１５と、を備えている。
【００３６】
読取部１２には、周知のピックアップヘッドが設けられている。ピックアップヘッドには、光源であるＬＤ（レーザダイオード）と、ＬＤから照射されたレーザ光を集光する対物レンズと、光ディスク２０からの反射光を検出する４分割の受光素子と、などが設けられている。
【００３７】
読取部１２のピックアップヘッドは、公知の４分割の受光素子で光ディスク２０からの反射光を検出し、その反射光を電気信号に変換し、ＲＦ信号を出力する。ＲＦ信号は、光ディスク２０に記録されているデータの読取信号である。読取部１２は、該ＲＦ信号をＲＦアンプで増幅し、光ディスク再生部１３に入力する。
【００３８】
光ディスク再生部１３は、上記ＲＦ信号を処理して映像と音声のデータを取り出し、再生信号生成部１４に入力する。ここで、取り出されるデータは、例えばＭＰＥＧでエンコードされている。
【００３９】
再生信号生成部１４は、映像と音声のデータをデコードして再生映像信号および再生音声信号を生成し、出力端子１５Ａおよび出力端子１５Ｂを介してＴＶ１００へ出力する。
【００４０】
図３に示すように、TV１００は、TV１００全体の制御を行う制御部１０１と、テレビ放送信号を処理するチューナ１０２と、テレビ放送信号から映像信号と音声信号とを分離抽出する映像／音声切換部１０３と、所望のＯＳＤを映像信号に重畳するＯＳＤ処理部１０４と、映像信号を処理し映像を出力する映像処理部１０５と、映像を表示する表示部１０６と、音声信号を処理し音声を出力する音声処理部１０７と、音声を出力する音声出力部１０８と、ユーザが音量の調整等を行う操作部１０９とを備えている。
【００４１】
操作部１０９にはリモコン信号検出部（不図示）が備えられている。リモコン信号検出部に対し、外部からリモコン１２１を用いて、電源のON／OFF、チャンネルの切り替え、音量の調整、「ＤｉｓｋＩｎ」の文字の非表示等の命令が入力されると、リモコン信号検出部は、リモコン１２１からの命令信号を受信して制御部１０１に伝送する。
【００４２】
制御部１０１は、ユーザが操作部１０９又はリモコン１２１で入力された命令に応じて、電源のON／OFF、チャンネルの切り替え、音量の調整、「ＤｉｓｋＩｎ」の文字の非表示等を制御する（後述の図５ｓ１０３、ｓ１０５参照）。
【００４３】
映像／音声切換部１０３は、光ディスク装置１０の出力端子１５Ａおよび出力端子１５Ｂを介して出力されてくる再生映像信号および再生音声信号を、入力端子１１０Ａおよび入力端子１１０Ｂを介して受信する。そして、映像／音声切換部１０３は、再生映像信号および再生音声信号を出力する。該再生映像信号は、ＯＳＤ処理部１０４を介して、映像処理部１０５に入力される。
【００４４】
ＯＳＤ処理部１０４は、制御部１０１から与えられる制御信号に基づいて、再生映像信号に文字または図形を重畳する。
【００４５】
映像処理部１０５は、映像／音声切換部１０３が出力した再生映像信号を処理して映像を抽出し、表示部１０６に映像を表示する。
【００４６】
音声処理部１０７は、映像／音声切換部１０３が出力した再生音声信号を処理して音声を抽出し、音声出力部１０８から音声を出力する。
【００４７】
以上により、光ディスク装置１０が光ディスク２０に記録されている映像や音声を読取り、ＴＶ１００において再生される（光ディスクモード）。
【００４８】
一方、テレビモード時において、ＴＶ１００は、以下のように選択されているチャンネルの映像や音声を出力する。
【００４９】
チューナ１０２は、アンテナ１２０で受信しているテレビ放送信号から選択されているチャンネルのテレビ放送信号を抽出し、出力する。
【００５０】
映像／音声切換部１０３は、チューナ１０２から出力されたテレビ放送信号を、映像信号と音声信号とに分離抽出し、出力する。該映像信号は、ＯＳＤ処理部１０４を介して、映像処理部１０５に入力される。
【００５１】
ＯＳＤ処理部１０４は、制御部１０１から与えられる制御信号に基づいて、映像信号に文字または図形を重畳する。
【００５２】
映像処理部１０５は、映像／音声切換部１０３が出力した映像信号を処理して映像を抽出し、表示部１０６に映像を表示する。
【００５３】
音声処理部１０７は、映像／音声切換部１０３が出力した音声信号を処理して音声を抽出し、音声出力部１０８から音声を出力する。
【００５４】
以上により、ＴＶ１００がテレビ放送信号を受信し、選択されているチャンネルの映像や音声を出力する（テレビモード）。
【００５５】
ここで、読取部１２が、本発明の「読取手段」「検知手段」に相当する。また、制御部１１が、本発明の「信号生成送信手段」「表示指示手段」に相当する。また、ＯＳＤ処理部１０４、映像処理部１０５および表示部１０６が、本発明の「表示手段」に相当する。
【００５６】
図４は、本発明の実施形態である光ディスクシステムに用いられる光ディスク装置においてテレビモード時に制御部が行う動作を示すフローチャートである。
【００５７】
光ディスク装置１０の制御部１１は、ＴＶ１００の電源がオンされているか否かを判断する（ｓ１、図２(1)参照、図３(1)参照）。この判断は、出力端子１５ＣとＴＶ１００の入力端子１１０Ｃとを介して、ＴＶ１００の制御部１０１が動作しているか否かにより行われる。このように判断させた理由は、ＴＶ１００の電源がオンされていなければ、制御部１１が、ＤｉｓｋＩｎ表示信号をＴＶ１００に送信することができないからである（図１(5)参照、図２(5)参照）。
【００５８】
ＴＶ１００の電源がオンされていると判断すると、制御部１１は、光ディスク２０が装置本体にセットされているか否かを判断する（ｓ２）。そのため、制御部１１は、光ディスク２０が装置本体にセットされているか否かを検知することを、読取部１２に対し指示する（図２(2)参照）。
【００５９】
読取部１２は、光ディスク２０が装置本体にセットされているか否かを検知する。この検知は、ピックアップヘッドからレーザ光を照射し、その反射光が検出されるか否かにより行われる。読取部１２は、反射光を検出できれば、該反射光を電気信号に変換し、制御部１１に転送する（図２(3)参照）。制御部１１は、該電気信号が転送されたことにより、光ディスク２０が装置本体にセットされていると判断できる。
【００６０】
ｓ２において、光ディスク２０が装置本体にセットされていないと判断すると、制御部１１は、ｓ２に戻り処理を継続する。
【００６１】
一方、光ディスク２０が装置本体にセットされていると判断すると、つまり読取部１２が光ディスク２０のセット状態を検知すると、制御部１１は、該光ディスク２０のセット状態を表す信号としてＤｉｓｋＩｎ表示信号を生成する（ｓ３、図２(4)参照）。
【００６２】
そして、制御部１１は、出力端子１５Ｃを介して、上記ＤｉｓｋＩｎ表示信号をＴＶ１００に送信する（ｓ４、図１(5)参照、図２(5)参照、図３(5)参照）。
【００６３】
制御部１１は、光ディスク２０が装置本体にセットされているか否かを判断する（ｓ５）。ｓ５の判定は、ｓ２の判定と同様である（図２(2)、(3)参照）。
【００６４】
光ディスク２０が装置本体にセットされていると判断すると、制御部１１は、ｓ５に戻り処理を継続する。
【００６５】
一方、光ディスク２０が装置本体にセットされていないと判断すると、つまり読取部１２が光ディスク２０の未セット状態を検知すると、制御部１１は、該光ディスク２０の未セット状態を表す信号としてＤｉｓｋＩｎ表示解除信号を生成する（ｓ６、図２(4)´参照）。
【００６６】
そして、制御部１１は、出力端子１５Ｃを介して、上記ＤｉｓｋＩｎ表示解除信号をＴＶ１００に送信し（ｓ７、図１(5)´参照、図２(5)´参照、図３(5)´参照）、ｓ１に戻り処理を継続する。
【００６７】
図５は、本発明の実施形態である光ディスクシステムに用いられるテレビジョンにおいてテレビモード時に制御部が行う動作を示すフローチャートである。
【００６８】
制御部１０１は、入力端子１１０Ｃを介して、光ディスク装置１０からＤｉｓｋＩｎ表示信号を受信したか否か判断する（ｓ１０１、図３(5)参照）。光ディスク装置１０からＤｉｓｋＩｎ表示信号を受信していないと判断すると、制御部１０１は、ｓ１０１に戻り処理を継続する。
【００６９】
一方、光ディスク装置１０からＤｉｓｋＩｎ表示信号を受信していると判断すると、制御部１０１は、「ＤｉｓｋＩｎ」の文字をＯＳＤで表示するための制御信号をＯＳＤ処理部１０４に与える（ｓ１０２、図３(6)参照）。すると、ＯＳＤ処理部１０４は、映像信号に「ＤｉｓｋＩｎ」の文字を重畳する。映像処理部１０５は、「ＤｉｓｋＩｎ」の文字を表示部１０６で表示する。これにより、「ＤｉｓｋＩｎ」の文字は、ＣＲＴ１０６Ａ上に表示される（図１参照）。
【００７０】
制御部１０１は、操作部１０９又はリモコン１２１によって、「ＤｉｓｋＩｎ」の文字を表示しない旨の命令が入力されたか否か判断する（ｓ１０３）。この判断は、ユーザが「ＤｉｓｋＩｎ」の文字がＣＲＴ１０６Ａ上に表示されることを邪魔に思い、ユーザが操作部１０９又はリモコン１２１を用いて、「ＤｉｓｋＩｎ」の文字を消去する場面を想定している。
【００７１】
「ＤｉｓｋＩｎ」の文字を表示しない旨の命令が入力されていると判断すると、制御部１０１は、「ＤｉｓｋＩｎ」の文字をＯＳＤで表示しないための制御信号をＯＳＤ処理部１０４に与え（ｓ１０５、図３(6)´参照）、ｓ１０１に戻り処理を継続する。そして、ＯＳＤ処理部１０４は、映像信号に「ＤｉｓｋＩｎ」の文字を重畳することをやめる。これにより、「ＤｉｓｋＩｎ」の文字は、ＣＲＴ１０６Ａ上から消える。
【００７２】
なお、この「ＤｉｓｋＩｎ」の文字は、ｓ１０１においてＤｉｓｋＩｎ表示信号を光ディスク装置１０の制御部１１から再び受信するまで、ＣＲＴ１０６Ａ上に表示されることはない。
【００７３】
一方、ｓ１０３において、「ＤｉｓｋＩｎ」の文字を表示しない旨の命令が入力されていないと判断すると、制御部１０１は、ＤｉｓｋＩｎ表示解除信号を光ディスク装置１０の制御部１１から受信したか否か判断する（ｓ１０４）。ＤｉｓｋＩｎ表示解除信号を受信していないと判断すると、つまり光ディスクがセット状態にあると判断すると、ｓ１０３に戻り処理を継続する。
【００７４】
なお、ＤｉｓｋＩｎ表示解除信号も、ＤｉｓｋＩｎ表示信号と同様、制御部１０１は、図２の(6)のようにＤｉｓｋＩｎ表示解除信号を処理して制御信号を生成する。
【００７５】
ＤｉｓｋＩｎ表示解除信号を受信していると判断すると、制御部１０１は、「ＤｉｓｋＩｎ」の文字をＯＳＤで表示しないための制御信号をＯＳＤ処理部１０４に与え（ｓ１０５、図２(6)´参照）、ｓ１０１に戻り処理を継続する。そして、ＯＳＤ処理部１０４は、映像信号に「ＤｉｓｋＩｎ」の文字を重畳することをやめる。これにより、「ＤｉｓｋＩｎ」の文字は、ＣＲＴ１０６Ａ上から消える。ＤｉｓｋＩｎ表示解除信号を受信した場合は、光ディスクが未セット状態の場合であり、該未セット状態では重複セットという問題は起こらないため、「ＤｉｓｋＩｎ」の文字を消しておく。
【００７６】
なお、この「ＤｉｓｋＩｎ」の文字は、ｓ１０１においてＤｉｓｋＩｎ表示信号を光ディスク装置１０の制御部１１から再び受信するまで、つまり光ディスク２０が再びセット状態になるまで、ＣＲＴ１０６Ａ上に表示されることはない。
【００７７】
以上より、ＤｉｓｋＩｎ画像をＴＶ１００のＯＳＤで表示させることができる。従って、光ディスク２０のセット状態をユーザに一見して分からせることができるため、新たな光ディスクの重複セットを防ぐことができる。
【００７８】
以下、本発明の他の実施形態である光ディスクシステムについて説明する。本発明の他の実施形態である光ディスクシステム２００において、構成については、上記実施形態である光ディスクシステム１と同様である。光ディスクシステム２００は、光ディスク装置１０とＴＶ２０１とを備える。そして、ＴＶ２０１においても、構成についてはＴＶ１００と同様である。
【００７９】
図６は、本発明の他の実施形態である光ディスクシステムに用いられるテレビジョンにおいてテレビモード時に制御部が行う動作を示すフローチャートである。図７は、同光ディスクシステムに用いられるテレビジョンにおいてチャンネル切替時に画面に表示されるＯＳＤを表す図である。図８は、同光ディスクシステムに用いられるテレビジョンにおいて電源オフ直前に画面に表示されるＯＳＤを表す図である。
【００８０】
ｓ２０１は、ｓ１０１と同じ処理である。
【００８１】
光ディスク装置１０からＤｉｓｋＩｎ表示信号を受信していると判断すると、制御部１０１は、ユーザが操作部１０９又はリモコン１２１で、ＴＶ２０１のチャンネルの切替、ＴＶ２０１の音量の調整などが入力されたか否か判断する（ｓ２０２）。
【００８２】
ＴＶ２０１のチャンネルの切替が入力されたと判断すると、制御部１０１は、ＴＶ２０１のチャンネル切換操作が行われた時に、その操作が行われた事を表示するＯＳＤ（図７において８ＣＨ）と「ＤｉｓｋＩｎ」の文字とを隣接して表示するための制御信号をＯＳＤ処理部１０４に与える（ｓ２０３、図３(6)参照）。すると、ＯＳＤ処理部１０４は、映像信号に対し、８ＣＨと隣接した位置に「ＤｉｓｋＩｎ」の文字を重畳する。映像処理部１０５は、８ＣＨと「ＤｉｓｋＩｎ」の文字とを表示部１０６で隣接して表示する。これにより、８ＣＨと「ＤｉｓｋＩｎ」の文字とは、ＣＲＴ１０６Ａ上に隣接して表示される（図７参照）。
【００８３】
よって、８ＣＨと隣接して表示させることにより、「ＤｉｓｋＩｎ」の文字が目立つ。従って、光ディスクのセット状態をユーザにより一見して分からせることができる。
【００８４】
なお、ＴＶ２０１の音量の調整などが入力された場合も、ＴＶ２０１のチャンネルの切替が入力された場合と同様に、その操作が行われた事を表示するＯＳＤと「ＤｉｓｋＩｎ」の文字とは隣接して表示される。また、ｓ２０２において制御部１０１が、コマーシャルに移ったか否かを判断し、ｓ２０３において、コマーシャル時に「ＤｉｓｋＩｎ」の文字を表示するようにしても良い。
【００８５】
以上より、チャンネル切換操作等が行われた時またはコマーシャルに入った時に、「ＤｉｓｋＩｎ」の文字を表示させるため、適切なタイミングで「ＤｉｓｋＩｎ」の文字を表示させることができる。
【００８６】
制御部１０１は、一定時間が経過したか否かを判定する（ｓ２０４）。一定時間は、例えば５秒である。一定時間は、ＴＶ２０１のチャンネル切換操作が行われた時、又はＴＶ２０１の音量切換操作が行われた時に、それらの操作が行われた事を表示するＯＳＤ（図７において８ＣＨ）が、表示されてから消えるまでの時間と同じにすると良い。
【００８７】
ｓ２０４において、一定時間が経過するのを待って、制御部１０１は、「ＤｉｓｋＩｎ」の文字を消去するための制御信号をＯＳＤ処理部１０４に与える（ｓ２０５、図３(6)´参照）。そして、ＯＳＤ処理部１０４は、映像信号に「ＤｉｓｋＩｎ」の文字を重畳することをやめる。これにより、「ＤｉｓｋＩｎ」の文字は、ＣＲＴ１０６Ａ上から消える。
【００８８】
この「ＤｉｓｋＩｎ」の文字は、予め定めた再表示条件が満たされるまで、又はｓ２０１においてＤｉｓｋＩｎ表示信号を光ディスク装置１０の制御部１１から再び受信するまで、ＣＲＴ１０６Ａ上に表示されることはない。再表示条件は、例えばＴＶ２０１のチャンネル切換操作が行われること、ＴＶ２０１の音量切換操作が行われること、又はＴＶ２０１がコマーシャルに入ったことである。ｓ２０２の判断肯定が、再表示条件に相当する。図６においては、ｓ２０６判断否定を経て、ｓ２０７判断否定を経て、且つｓ２０２の判断肯定を経た場合に、再表示条件が満たされる。
【００８９】
制御部１０１は、操作部１０９又はリモコン１２１によって、「ＤｉｓｋＩｎ」の文字を表示しない旨の命令が入力されたか否か判断する（ｓ２０６）。この判断は、ｓ１０３と同様である。
【００９０】
「ＤｉｓｋＩｎ」の文字を表示しない旨の命令が入力されていると判断すると、制御部１０１は、ｓ２０１に戻り処理を継続する。「ＤｉｓｋＩｎ」の文字は、ｓ２０１においてＤｉｓｋＩｎ表示信号を光ディスク装置１０の制御部１１から再び受信するまで、ＣＲＴ１０６Ａ上に表示されることがない。
【００９１】
一方、ｓ２０６において、「ＤｉｓｋＩｎ」の文字を表示しない旨の命令が入力されていないと判断すると、制御部１０１は、ＤｉｓｋＩｎ表示解除信号を光ディスク装置１０の制御部１１から受信したか否かを判断する（ｓ２０７）。この判断は、ｓ１０４と同様である。ＤｉｓｋＩｎ表示解除信号を受信していないと判断すると、つまり光ディスクがセット状態にあると判断すると、ｓ２０２に戻り処理を継続する。
【００９２】
ｓ２０２の判断肯定から始まり、ｓ２０３、ｓ２０４判断肯定、ｓ２０５、ｓ２０６判断否定、ｓ２０７判断否定を経て、ｓ２０２の判断肯定（再表示条件）へと繰り返す一連の流れは、反復構造となっている。この反復構造は、ＴＶ２０１のチャンネル切換操作等が行われる毎に、「ＤｉｓｋＩｎ」の文字が表示され、「ＤｉｓｋＩｎ」の文字の表示から一定時間経過する毎に、「ＤｉｓｋＩｎ」の文字が消去される状態となっている。逆に、「ＤｉｓｋＩｎ」の文字の表示から一定時間経過する毎に、「ＤｉｓｋＩｎ」の文字が消去されても、ＴＶ２０１のチャンネル切換操作等が行われる毎に、「ＤｉｓｋＩｎ」の文字が表示される状態にもなっている。
【００９３】
具体的に述べると、ＴＶ２０１のチャンネル切換操作等が行われると（ｓ２０２の判断肯定）、「ＤｉｓｋＩｎ」の文字が表示され（ｓ２０３）、「ＤｉｓｋＩｎ」の文字の表示から一定時間経過すれば（ｓ２０４判断肯定）、「ＤｉｓｋＩｎ」の文字が消去される（ｓ２０５）。そして、ｓ２０６判断否定、ｓ２０７判断否定を経て、ＴＶ２０１のチャンネル切換操作等が再び行われると（ｓ２０２の判断肯定（再表示条件））、再び「ＤｉｓｋＩｎ」の文字が表示され（ｓ２０３）、「ＤｉｓｋＩｎ」の文字の表示から一定時間経過すれば（ｓ２０４判断肯定）、「ＤｉｓｋＩｎ」の文字が再び消去される（ｓ２０５）。
【００９４】
なお、制御部１０１は、上記再表示条件が満たされた（ｓ２０２の判断肯定）時に「ＤｉｓｋＩｎ」の文字を再び表示するための制御信号をＯＳＤ処理部１０４に与えている（ｓ２０３、図３(6)参照）。
【００９５】
以上より、再表示条件が満たされた時、つまりチャンネル切換操作等が行われた時またはコマーシャルに入った時に、「ＤｉｓｋＩｎ」の文字を表示させるため、適切なタイミングで「ＤｉｓｋＩｎ」の文字を表示させることができる。
【００９６】
また、光ディスクシステム１では、ｓ１０３判断肯定とｓ１０４判断肯定とを除けば、「ＤｉｓｋＩｎ」の文字が一度表示されると画面上にずっと表示されたままであるため、ユーザに煩わしさを感じさせることがある。しかし、光ディスクシステム２０１では、同様の判断であるｓ２０６判断肯定とｓ２０７判断肯定とを除いても、ＴＶ２０１のチャンネル切換操作等が行われる毎に、「ＤｉｓｋＩｎ」の文字が表示され、「ＤｉｓｋＩｎ」の文字の表示から一定時間経過する毎に、「ＤｉｓｋＩｎ」の文字が消去される。そのため、画面上に適度に、「ＤｉｓｋＩｎ」の文字を表示させることができる。
【００９７】
以上より、画面上に適切なタイミングで、且つ適度に「ＤｉｓｋＩｎ」の文字を表示させることができる。従って、ユーザに煩わしさを感じさせない。
【００９８】
一方、ＤｉｓｋＩｎ表示解除信号を受信していると判断すると、制御部１０１は、ｓ２０１に戻り処理を継続する。制御部１０１がＤｉｓｋＩｎ表示解除信号を受信した場合は、光ディスク２０が未セット状態の場合である。該未セット状態では重複セットという問題は起こらないため、「ＤｉｓｋＩｎ」の文字は、ｓ２０１においてＤｉｓｋＩｎ表示信号を光ディスク装置１０の制御部１１から再び受信するまで、つまり光ディスク２０が再びセット状態になるまで、ＣＲＴ１０６Ａ上に表示されない。
【００９９】
ｓ２０２において、ＴＶ２０１のチャンネルの切替、ＴＶ２０１の音量の調整などが入力されていないと判断すると、制御部１０１は、ユーザが操作部１０９又はリモコン１２１で、ＴＶ２０１の電源オフ操作を行ったか否か判断する（ｓ２０８）。ＴＶ２０１の電源オフ操作が行われていなければ、制御部１０１は、ｓ２０２に戻り処理を継続する。
【０１００】
ｓ２０２およびｓ２０８において、制御部１０１は、ユーザが操作部１０９又はリモコン１２１を用いてチャンネル切替操作、音量調整操作、電源オフ操作等を行うことを待つ入力待ち状態となっている。
【０１０１】
ＴＶ２０１の電源オフ操作が行われていれば、制御部１０１は、ＴＶ２０１が電源オフされる前に、「ＤｉｓｋＩｎ」の文字を表示部１０６の画面に大きく表示する旨の制御信号をＯＳＤ処理部１０４に与える（ｓ２０９、図３(6)参照）。すると、ＯＳＤ処理部１０４は、映像信号に対し、大きい「ＤｉｓｋＩｎ」の文字を重畳する。映像処理部１０５は、「ＤｉｓｋＩｎ」の文字を表示部１０６で大きく表示する。これにより、「ＤｉｓｋＩｎ」の文字は、ＣＲＴ１０６Ａ上に大きく表示される（図８参照）。
【０１０２】
そして、制御部１０１は、ＴＶ２０１の電源をオフし（ｓ２１０）、本処理を終了する。
【０１０３】
以上より、ＴＶ２０１が電源オフされる前に、「ＤｉｓｋＩｎ」の文字を表示部１０６の画面に大きく表示させることにより、「ＤｉｓｋＩｎ」の文字が目立つ。従って、光ディスクのセット状態をユーザにより一見して分からせることができる。
【図面の簡単な説明】
【０１０４】
【図１】本発明の実施形態である光ディスクシステムのシステム構成図
【図２】本発明の実施形態である光ディスクシステムに用いられる光ディスク装置のブロック図
【図３】本発明の実施形態である光ディスクシステムに用いられるテレビジョンのブロック図
【図４】本発明の実施形態である光ディスクシステムに用いられる光ディスク装置においてテレビモード時に制御部が行う動作を示すフローチャート
【図５】本発明の実施形態である光ディスクシステムに用いられるテレビジョンにおいてテレビモード時に制御部が行う動作を示すフローチャート
【図６】本発明の他の実施形態である光ディスクシステムに用いられるテレビジョンにおいてテレビモード時に制御部が行う動作を示すフローチャート
【図７】本発明の他の実施形態である光ディスクシステムに用いられるテレビジョンにおいてチャンネル切替時に画面に表示されるＯＳＤを表す図
【図８】本発明の他の実施形態である光ディスクシステムに用いられるテレビジョンにおいて電源オフ直前に画面に表示されるＯＳＤを表す図
【符号の説明】
【０１０５】
１−光ディスクシステム
１０−光ディスク装置
１１−制御部
１２−読取部
１３−再生部
１４−再生信号生成部
１５−出力端子
１６−光ディスク投入口
２０−光ディスク
１００−テレビジョン
１０１−制御部
１０２−チューナ
１０３−映像／音声切換部
１０４−ＯＳＤ処理部
１０５−映像処理部
１０６−表示部
１０７−音声処理部
１０８−音声出力部
１０９−操作部
１１０−入力端子
１２０−アンテナ
１２１−リモコン
２００−光ディスクシステム
２０１−テレビジョン
【図１】
2006268990.tif 000003
【図２】
2006268990.tif 000004
【図３】
2006268990.tif 000005
【図４】
2006268990.tif 000006
【図５】
2006268990.tif 000007
【図６】
2006268990.tif 000008
【図７】
2006268990.tif 000009
【図８】
2006268990.tif 000010